(57)【要約】      （修正有）【課題】携帯電話等には各種の個人情報が詰まっていることが多く、携帯電話等の地面及び床への落下に起因する故障や紛失により、個人情報が消失したり流出したりすることから、個人情報を保護するため、携帯電話等がポケットから脱落しても、地面または床まで落下するのを阻止できる可変ループ布片を提供する。【解決手段】小布片をループ状に形成し、八角形に折り曲げて、ポケット内側のポケット布と服地の間に縫着し、そのループ布片にストラップを掛止することにより、携帯電話等がポケットから脱落しても、ループ布片が細長い帯状に変形してストラップと携帯電話等がぶら下がり、地面または床まで落下するのを阻止できることを特徴とする。【選択図】図１１
2006328618.tif 000002
【特許請求の範囲】
【請求項１】
ポケット内側に縫着されたループにストラップを係止することで、ポケットから地面または床への携帯電話等物品の落下を阻止できることを特徴とするポケット内側ハンガーループ
【発明の詳細な説明】
【技術分野】
【０００１】本発明は、ポケット内側ハンガーループに係り、特に、ポケットから地面または床への携帯電話等物品の落下を阻止するためにストラップを係止するポケット内側ループに関するものである。
【背景技術】
【０００２】従来、地面または床への携帯電話等物品の落下阻止機能を有するストラップ等の道具があったが、首から吊る必要があったり、ポケットが重くなったり見苦しく膨らんだり、ポケットに入れられる物が少なくなったりという欠点があった。また、高価であった。
【発明の開示】
【発明が解決しようとする課題】
【０００３】最近の携帯電話には各種の個人情報が詰まっていることが多い。携帯電話の地面及び床への落下に起因する故障や紛失による個人情報の消失および流出から個人情報を保護する必要に迫られている。本発明は、従来の技術が有する欠点を解消しつつ、安価なストラップを使用してもポケットから地面または床への携帯電話等物品の落下阻止を可能にするために、ストラップを係止するポケット内側ループを提供することを目的としている。
【課題を解決するための手段】
【０００４】上記課題を解決するために、本発明の構成を説明すると、ポケット内側にハンガーループを縫着し、そのループにストラップを係止することにより、ポケットから地面または床への携帯電話等物品の落下阻止を可能にする。
【発明の効果】
【０００５】本発明によれば、ポケットに入れた携帯電話等が仮にポケットから脱落しても、地面または床への落下を阻止でき、落下に起因する故障や紛失による個人情報の消失および流出を防止できる。上着を着ることの少ない人や、上着をよく着る人でも軽装（ズボンとワイシャツにネクタイ姿）である夏場に、極めて役立つ効果を有するものである。高いコストが掛からないことも有効である。
【発明を実施するための最良の形態】
【０００６】次に、本発明の実施形態は胸ポケットを例に示し、図面に基づいて説明する。本発明に係るポケット内側ハンガーループは、図１ないしは図６のハンガーループ３である。係止しやすい位置はどの位置かを試行した上で、図１ないしは図３に示すように、胸ポケット１に向かって胸ポケット１内右側に縫着してある。【０００７】本発明に係るポケット内側ハンガーループは、使用しない時に邪魔にならないよう、図２に示すハンガーループ３のように折り曲げてある。【０００８】また、本発明に係るポケット内側ハンガーループは、ストラップを係止する状態で拡大すると図４のようになる。【０００９】胸ポケット１を服地２へ縫糸４で縫着する際に、図５に示すように、ハンガーループ３を胸ポケット１と服地２との間に入れて縫合する方法により、本発明のポケット内側ハンガーループが完成される。また、ハンガーループ３を縫着した胸ポケット１を、さらに服地２へ縫合する方法でも、ハンガーループ３を服地２に縫着した上でハンガーループ３を覆うように胸ポケット１を縫合する方法でも、本発明のポケット内側ハンガーループが完成される。【００１０】胸ポケットに入れた携帯電話等物品が仮に胸ポケットから脱落しても、ループにストラップが係止されているので、図６に示すように地面または床への落下を阻止できる。【００１１】以上本発明の好ましい実施形態について説明したが、本発明は上述の特定の実施形態に限定されるものではなく、種々の変形、変更が可能である。
【実施例】
【００１２】本発明の実施形態では、胸ポケット１に向かって胸ポケット１内の右側に縫着しているが、ポケット内の右側でも左側でも任意にであり、ポケット内側の上部でも下部でも任意である。ポケット内側の上部に縫着する場合には、ハンガーループとポケットの縫着強度が必要であり、ポケット内側の下部に縫着する場合には、ストラップを係止しにくい面があるので、ハンガーループを縫着する位置は、ポケット内の右側か左側が好ましい。【００１３】ポケット内側ハンガーループを構成する素材は、綿、麻、絹、毛および化学繊維であり、服地及びポケットと同一の素材でよいが、厚手の素材であることが好ましい。また、ポケット内側ハンガーループの色は、ポケットと同一色が好ましい。
【産業上の利用可能性】
【００１４】本発明は、ポケットを有するあらゆる衣服のあらゆるポケットに、ポケットから地面または床への携帯電話等物品の落下を阻止する機能を付与することが可能である。
【図面の簡単な説明】
【図１】本発明の実施形態を示す平面図である。
【図２】図１の胸ポケット右上部分を解き開いた平面図である。
【図３】本発明の実施形態を示す斜視図である。
【図４】本発明を示す拡大斜視図である。
【図５】本発明の実施形態を示す分解斜視図である。
【図６】本発明の一態様を示す図である。
【符号の説明】
１  胸ポケット
２  服地（胸ポケットの周辺だけを図示）
３  ハンガーループ
４  胸ポケット上側の折曲部分の縫糸
５  胸ポケットと服地との縫合糸
６  胸ポケットの内側折曲部分の生地
【図１】
2006328618.tif 000003
【図２】
2006328618.tif 000004
【図３】
2006328618.tif 000005
【図４】
2006328618.tif 000006
【図５】
2006328618.tif 000007
【図６】
2006328618.tif 000008
【手続補正書】
【提出日】平成18年8月10日(2006.8.10)
【手続補正１】
【補正対象書類名】特許請求の範囲
【補正対象項目名】請求項１
【補正方法】変更
【補正の内容】
【請求項１】
ポケット内側のポケット布と服地の間に縫着された八角形のループ状小布片にストラップを掛止することで、携帯電話等がポケットから脱落しても、ループ布片が細長い帯状に変形してストラップと携帯電話等がぶら下がり、地面または床まで落下するのを阻止できることを特徴とする可変ループ布片
【手続補正３】
【補正対象書類名】明細書
【補正対象項目名】全文
【補正方法】変更
【補正の内容】
【発明の詳細な説明】
【技術分野】
【０００１】
本発明は、ポケット内側のポケット布と服地の間に縫着された可変ループ布片に係り、特に、携帯電話等がポケットから脱落しても、地面または床まで落下するのを阻止するためにストラップを掛止する可変ループ布片に関するものである。
【背景技術】
【０００２】
最近の携帯電話、携帯型音楽プレーヤー及び小型デジタルカメラ（前述の「発明の名称」、「技術分野」及び以下において「携帯電話等」という。）には各種の個人情報が詰まっていることが多い。特に携帯電話の中には、財布替わりに使用できる携帯電話も登場して来ている。携帯電話等の地面または床への落下に起因する故障や紛失により、個人情報が消失したり流出したりすることから、個人情報を確実に保護するためには、携帯電話等がポケットから脱落しても、地面または床まで落下するのを確実に阻止できる手段が必要とされている。
【０００３】
従来、ポケット内収納物の落下を阻止するための手段としては、次のような構成のものが開示されている。小布片を細幅に形成し逆Ｕ字状に折り曲げてポケット布の内面に縫着し、その小布片にストラップを掛止することで、ポケット内の収納物が落ちない構造としたもの（特許文献１参照）や、ポケット口付近にＤ環または丸リングを設け、そのＤ環または丸リングにストラップを掛止することで、ポケット内の収納物が落ちない構造としたもの（特許文献２参照）である。しかし、前者は、小布片をポケット布の内面に縫着していることから、ストラップを掛止し難かったり、小布片のポケット布への縫着の強度を確保出来ないという欠点を、後者は、硬質なＤ環または丸リングを設けていることから、違和感を生じたり、美観を損ねたり、服地を傷めるといった欠点を有している。
【特許文献１】実公昭26−009231号公報
【特許文献２】登録実用新案第3040017号公報
【発明の開示】
【発明が解決しようとする課題】
【０００４】
本発明は、従来の技術が有する欠点を解消しつつ、携帯電話等がポケットから脱落しても、地面または床まで落下するのを確実に阻止する手段を提供することを課題としている。
【課題を解決するための手段】
【０００５】
上記課題を解決するために、本発明は、ポケット内側のポケット布と服地の間にループ状に形成した小布片を八角形に折曲した上で縫着し、そのループ布片にストラップを掛止することにより、携帯電話等がポケットから脱落しても、地面または床まで落下するのを確実に阻止できることを特徴とする可変ループ布片を提供するものである。
【発明の効果】
【０００６】
本発明によれば、上着を着ることの少ない人や、上着をよく着る人でも軽装（いわゆるクールビズ）である夏場に、ポケットに入れた携帯電話等がなんらかの拍子にポケットから脱落しても、地面または床までの落下を阻止できるうえ、携帯電話等を操作しない時には携帯電話等とストラップをまとめてポケット内に収納でき、携帯電話等を操作する時には瞬時に取り出し操作することができるという極めて役立つ効果を有する。
【０００７】
その他に次のごとき効果がある。
(１)本発明に係るポケット内側の可変ループ布片は、ループ状に形成した小布片を八角形に折曲した上で縫着してあることから、ストラップを掛止する際、横幅が広がり横長八角形に変形した上で、縦方向へ細長い帯状に変形するという二段階の可変性を有するので、ループ布片の一部をポケット開口部の上に出すことやポケット開口部付近まで持ってくることができ、ストラップのループ布片への掛止が容易である。
(２)本発明のループ布片は、横長八角形に折曲された状態では、ポケット布と服地の間への縫い寸は短いが、縦幅を広げ縦長八角形に折曲された状態に変形すれば、縫い寸を長くできる、すなわち、ループ布片の縫い寸をループ布片幅に関係なく任意に設定できるので、ループ布片の縫着に十分な強度を確保できる。なお、本発明のループ布片は、縦長八角形に折曲された状態で縫い寸を長くした時は(１)で述べた縦方向への可変域は小さくなるが、逆に横長八角形に折曲された状態で縫い寸を短くした時は縦方向への可変域が大きくなるというように、反比例の関係にある。しかし、縦長八角形に折曲された状態でも縫い寸を短いままにするという方法を取れば、縦方向への可変域を大きいまま維持することが可能である。さらに、ループ布片の上半分だけを縫着するという方法を取れば、横長八角形への変形はできなくなるが、縦方向への可変域は最大化する。
(３)本発明のループ布片は、ストラップを掛止していない時の八角形のループ状から落下阻止時は二重の細長い帯状への変形が可能であるので、落下阻止時のポケット布への負荷が軽減され、ループ布自体の強度も確保できる。
(４)本発明のループ布片は、その右側をポケット布と服地の間に縫着しているので、ポケット内外面に縫着糸痕が残らず衣服の美観を損ねない。
(５)本発明のループ布片は、その素材が軟質な布であることから、ポケット内で折り畳むことが可能であり、衣服のポケットと一体化して邪魔になることはなく、通常どおりの使用感や美観を保つことができる。
(６)本発明のループ布片は、洗濯頻度の高い衣服に使用しても、服地を傷め衣服の耐用を短くすることはなく、通常どおりの耐用を確保できる。
(７)本発明のループ布片は、ワイシャツへの使用にも対応しており、使用しても違和感を覚えることはない。
(８)本発明のループ布片は、構造が極めてシンプルであり、工程も少なく、素材のコストも安い。
以上のように、本発明の効果は絶大なものがある。
【発明を実施するための最良の形態】
【０００８】
以下、本発明の実施形態は胸ポケットを一例に示し、図面に基づいて詳細に説明する。
【実施例】
【０００９】
本発明に係るポケット内側の可変ループ布片は、図１ないしは図３に示すループ布片３のように、細幅の小布片をループ状に形成し八角形に折曲したものであり、ループ布片３の右側をポケット布１と服地２の間に縫着してある。
【００１０】
本発明に係るループ布片は、図４に示す横長の八角形から図５に示す縦長の八角形に変形が可能である。これにより縫合糸５で縫着する縫い寸をループ布片幅に関係なく任意の長さに設定できる。
【００１１】
本発明に係るループ布片は、布で出来ているので、使用しない時には、図１と図２に示すループ布片３のように折り畳むことができる。
【００１２】
本発明に係るループ布片は、使用しない時には図５に示す八角形のループ状であり、ストラップを掛止する時や引っ張られた時には図６から図８までの状態であり、落下阻止時には図９に示す細長い帯状に変形する。
【００１３】
胸ポケット布１を服地２へ縫合糸５で縫着する際に、図１０に示すように、ループ布片３を胸ポケット布１と服地２との間に入れて縫合する方法により、本発明のポケット内側の可変ループ布片が完成される。また、ループ布片３を縫着した胸ポケット布１を、さらに服地２へ縫合する方法でも、ループ布片３を服地２に縫着した上でループ布片３を覆うように胸ポケット布１を縫合する方法でも、本発明に係るポケット内側の可変ループ布片が完成される。
【００１４】
胸ポケットに入れた携帯電話等がなんらかの拍子に胸ポケットから脱落しても、図９に示す細長い帯状に変形したループ布片３にストラップが掛止されているので、図１１に示すようにぶら下がり、携帯電話等が地面または床まで落下するのを阻止できる。
【００１５】
本発明の実施形態では、胸ポケット右側のポケット布１と服地２の間に縫着しているが、ポケット内の右側でも左側でも任意である。
【００１６】
ループ布片３を構成する素材は、綿、麻、絹、毛および化学繊維であり、服地及びポケットと同一の素材でよいが、携帯電話等の脱落の衝撃でも切れない化学繊維が好ましい。また、ループ布片３の色は、ポケットと同一色が好ましい。
【００１７】
ループ布片３を間に鋏み込んだポケット１と服地２との縫合糸５は、携帯電話等の脱落の衝撃でも切れない化学繊維が好ましい。
【００１８】
以上本発明の好ましい実施形態の一例について説明したが、本発明は上述の特定の実施形態に限定されるものではなく、種々の変更、応用が可能である。
【産業上の利用可能性】
【００１９】
本発明は、携帯電話等がポケットから脱落しても、地面または床まで落下するのを阻止できる手段を、衣服のあらゆるポケットに付与することができる。
【図面の簡単な説明】
【００２０】
【図１】本発明の実施形態を示す平面図である。
【図２】図１の胸ポケット右上部分を解き開いた平面図である。
【図３】本発明の実施形態を示す斜視図である。
【図４】本発明の横長八角形に折曲された状態を示す拡大平面図である。
【図５】本発明の縦長八角形に折曲された状態を示す拡大平面図である。
【図６】本発明の図５からの変形状態を示す拡大斜視図である。
【図７】本発明の図６からの変形状態を示す拡大斜視図である。
【図８】本発明の図７からの変形状態を示す拡大斜視図である。
【図９】本発明の細長い帯状に最大変形した状態を示す拡大平面図である。
【図１０】本発明の実施形態を示す分解斜視図である。
【図１１】本発明の一態様を示す図である。
【符号の説明】
【００２１】
１  胸ポケット布
２  服地（胸ポケットの周辺だけを図示）
３  可変ループ布片
４  胸ポケット上側の折曲部分の縫合糸
５  胸ポケットと服地との縫合糸
６  胸ポケットの内側折曲部分の生地
【手続補正４】
【補正対象書類名】図面
【補正対象項目名】全図
【補正方法】変更
【補正の内容】
【図１】
2006328618.tif 000009
【図２】
2006328618.tif 000010
【図３】
2006328618.tif 000011
【図４】
2006328618.tif 000012
【図５】
2006328618.tif 000013
【図６】
2006328618.tif 000014
【図７】
2006328618.tif 000015
【図８】
2006328618.tif 000016
【図９】
2006328618.tif 000017
【図１０】
2006328618.tif 000018
【図１１】
2006328618.tif 000019